(57)【特許請求の範囲】
【請求項１】
少なくとも２つ以上の実際の器具を受け入れることができる、インターベンショナル手術をシミュレートするためのシミュレーションシステムにおける装置（１００）であって、
前記実際の器具の数に対応する数の可動キャリッジ（１６Ａ〜１６Ｃ）と、トラック（２０）と、相互接続部材（２６）とを備え、
前記実際の器具を受け入れる開口部を有する前記相互接続部材（２６）が前記キャリッジ（１６Ａ〜１６Ｃ）を直列に相互接続するように構成されており、各キャリッジ（１６Ａ〜１６Ｃ）に前記実際の器具を受け入れる開口部が設けられており、各キャリッジ（１６Ａ〜１６Ｃ）が更に、前記相互接続部材（２６）を通して挿入される前記実際の器具の種類を検出するための検出機構（４８）と、少なくとも１つの実際の器具を受け入れ、かつロックするための部材と、前記器具からの運動を受けると共にシミュレーション特性に関して前記実際の器具へフィードバックされる力を発生するための部材とを備えることを特徴とする、シミュレーションシステムにおける装置（１００）。
【請求項２】
前記相互接続部材（２６）が入れ子式パイプであることを特徴とする、請求項１記載の装置。
【請求項３】
前記キャリッジ（１６Ａ〜１６Ｃ）が前記トラック（２０）に沿って移動するように配置されていることを特徴とする、請求項１記載の装置。
【請求項４】
前記キャリッジ（１６Ａ〜１６Ｃ）が該キャリッジを前記トラック（２０）に沿って駆動するためのギヤベルト変速機（１８）に接続されていることを特徴とする、請求項３記載の装置。
【請求項５】
前記キャリッジ（１６）は、各々の壁に、トルクホイール（５２）内に配置されたクランクブロック（７４）が設けられていることを特徴とする、請求項１記載の装置。
【請求項６】
前記クランクブロック（７４）に嵌合表面が設けられており、この嵌合表面が前記相互接続部材を通して挿入された前記実際の器具ワイヤをグリップするコレット（７０）に押圧されていることを特徴とする、請求項５記載の装置。
【請求項７】
前記キャリッジ（１６Ａ〜１６Ｃ）に配置されたシャーシ（３２）に接続された懸架プレート（３８）との間の力を力センサ（４０）によって測定することを特徴とする、請求項１記載の装置。
【請求項８】
前記検出機構（４８）が前記キャリッジ（１６）内の器具の存在を検出するように配置されていることを特徴とする、請求項１記載の装置。
【請求項９】
前記検出機構（４８）が各実際の器具の種類を検出するように配置されていることを特徴とする、請求項１記載の装置。
【請求項１０】
前記実際の器具が次の特性、すなわち厚み、カラー、構造、材料、識別証および／またはバーコードのうちの少なくとも１つに関して前記種類に分類されることを特徴とする、請求項９記載の装置。
【請求項１１】
前記検出機構（４８）が光センサであることを特徴とする、請求項８記載の装置。
【請求項１２】
第１相互接続部材（２６Ａ）が前記実際の器具を受け入れる装置の開口部（２２）と第１キャリッジ（１６Ａ）との間に配置され、第２相互接続部材（２６Ｂ）が第１キャリッジ（１６Ａ）と第２キャリッジ（１６Ｂ）との間に配置され、第３相互接続部材（２６Ｃ）が第２キャリッジ（１６Ｂ）と第３キャリッジ（１６Ｃ）との間に配置されていることを特徴とする、請求項１記載の装置。
【請求項１３】
前記実際の器具の長手方向の運動および回転運動を測定するための処理ユニット（１０）を含むことを特徴とする、請求項１記載の装置。
【請求項１４】
前記実際の器具の長手方向および回転方向に力のフィードバックを行う処理ユニット（１０）を備えることを特徴とする、請求項１３記載の装置。
【請求項１５】
シミュレートされる前記実際の器具をクランプするためのロッキング部材（４４）を備え、該ロッキング部材（４４）は前記実際の器具にトルクを加えるための部材を含むことを特徴とする、請求項１記載の装置。
【請求項１６】
クランクブロック（７４）が、前記キャリッジの壁に取り付けられているトルクホイール（５２）内に設けられており、該クランクブロック（７４）が該トルクホイール（５２）に対して長手方向に移動し、かつ回転方向に固定されていることを特徴とする、請求項１記載の装置。
【請求項１７】
器具を検出するための前記検出機構が少なくとも１つのＩＲ（赤外線）ダイオード（１０４）と、少なくとも１つのＩＲフォトトランジスタ（１０６）とを備えることを特徴とする、請求項１記載の装置。
【請求項１８】
前記実際の器具の厚み、カラー、構造、材料、の少なくとも１つを検出するための手段を有する識別機構を含むことを特徴とする、請求項１記載の装置。
【請求項１９】
前記装置（１００）が前記キャリッジ（１６Ａ〜１６Ｃ）の運動を測定すると共に速度制御ループ（８６）および位置制御ループ（８８）を有し前記キャリッジ（１６Ａ〜１６Ｃ）の運動を制御するための制御ユニット（３０）に接続されていることを特徴とする、請求項１から１８のいずれかに記載の装置。
【請求項２０】
前記キャリッジ（１６Ａ〜１６Ｃ）の運動を制御するための前記制御ユニット（３０）は器具でユーザが経験する力を力センサ（４０）によって測定し、力センサ（４０）からの信号を設定された力の要求値（ＤＦ）に向けて力フィードバック制御ループ（１０２）内でフィードバックすることにより前記キャリッジの運動を制御することを特徴とする、請求項１９に記載の装置。
【発明の詳細な説明】
【技術分野】
【０００１】
本発明はインターベンショナル手術、最も好ましくは血管内手術をシミュレートするためのシミュレーションシステムにおける装置に関する。
【背景技術】
【０００２】
成人教育の原則、実験学習が必要であるとの見解および専門技術の発展に関する理論は、いずれも学習プロセスにおいて経験が重要な役割を演じることを強調している。
【０００３】
これら教育の基礎に基づき、訓練生および実務に従事している医者に必要な学習経験を提供するために、現在の外科および内科医療教育において最先端技術を用いたシミュレーションを上手く取り込んでいる。こうして標準化された学習経験に基づき、不可欠な技能を取得し、かつ特定の能力レベルを得る機会をすべての学習者に提供できる。シミュレーションを使用すると、性能の評価および迅速な個々の詳細なフィードバックを行うことによって学習を促進することができる。シミュレーションは所定の技術水準に達するまで繰り返し学習を可能にする管理された環境を提供し、学習者のストレスレベルを下げ、学習者の信頼レベルを高め、患者に治療を施す前に技術的な能力の達成を保証することにより、実際の環境における安全性を高める。
【０００４】
実務に従事している医者は自らの技能を改善し、シミュレーションの使用を伴った教育的な医療行為を通して科学技術の進歩の結果得られた新しい手法を取得できる。更にシミュレーションを使用することを通し、別々に学習し、実務をする機会を訓練生に提供することにより、実際の問題、例えば学部時間に対する要求の問題の解決を助けることができる。アカウンタビリティおよび医療の質の保証に対する現在の要求も、かかるシミュレーションを使用することによって解決でき、結果に関するデータを使って公衆に医者の能力を保証できる。
【０００５】
シミュレーションは、技能開発の問題を解決する現在の教育プログラムの重要な部分であると見なさなければならない。シミュレーションは効果的な教育および学習を保証し、学習者の技能の評価の有効かつ信頼できる手段を提供し、改善を必要とする特定の弱点に関する情報を与え、学習者の技能能力の個々のプロフィールを形成できる。所望する結果を得るには、成人教育の原則、実験学習および有効なフィードバックに基づき、特定のカリキュラムを開発しなければならない。継続的なプロフェッショナルな教育および認定のプログラムにおいても、かかるシミュレーションを使用することができる。
【０００６】
シミュレーションの開発および取得、並びに教育モデルへこれらシミュレーションを有効に組み込んだ訓練プログラムの形成に必要なリソースへの初期投資は、手術室において手術を迅速に実行できるようになること、患者の安全性が高まること、および学習者に種々の技術的技能を教えるのに必要な学部時間を短縮できることから得られる種々の利点によって容易に相殺できる。かかるシミュレーションは、教育努力の有効性を評価すること、訓練のための個人の選抜をすることにも使用でき、従って、シミュレーションは、将来の外科および内科医療教育のプログラムに大きな影響をあたえる潜在力となる。
【０００７】
コンピュータ技術の急速な開発の結果、シミュレーション、特に外科および内科医療教育の目的のためのシミュレーションは、相当改善されている。しかしながら、現時点で公知の装置および方法は、使用される異なる器具の全てのシミュレーションを可能にするものではない。
【０００８】
米国特許第６，１０６，３０１号明細書（特許文献１）は、仮想的患者に対し、外科的治療を実行できるようにする外科的治療シミュレーションシステムに対する擬似の医療器具の形態をした、インターベンショナルラジオロジーインターフェース装置および方法のインターフェース周辺機器を開示している。このインターフェース装置は実際の外科的治療中に利用される器具を現実的にシミュレートするためのガイドワイヤ、カテーテルおよびシース、注射器、膨張注射器およびフットスイッチを含む。ユーザは外科的治療シミュレーションシステムのディスプレイに示された、シミュレートされた閉塞部に向けてガイドワイヤ、カテーテルおよびシース周辺機器を操作し、動脈ネットワークを横断させる。フットスイッチは動脈ネットワーク内のガイドワイヤ、カテーテル、シースの位置を示す蛍光透視像を表示するようにディスプレイを制御する。注射器はカテーテルまたはシースを通して仮想的患者内に造影剤の液体またはその他の薬学物質を注入することをシミュレートするように、注射器を操作することができる。動脈ネットワーク内のシミュレートされた閉塞部を通ってガイドワイヤが位置決めされると、カテーテルを先端にバルーンが設けられた血管形成用カテーテルに置き換え、膨張用注射器を操作し、閉塞部を小さくするためのバルーンの膨張をシミュレートする。更にインターフェース装置はガイドワイヤおよびカテーテルに力のフィードバックをかけ、実際の外科的治療中にこれら医療器具が受ける力をシミュレートすることができる。インターフェース装置は周辺機器の操作量を測定し、プロセッサを介して外科的治療シミュレーションシステムへこれら測定値を転送し、外科的治療のシミュレーションを可能にする。
【０００９】
米国特許第６，２６７，５９９号明細書（特許文献２）は、患者の小さな切開部を通して挿入され、操作される道具を用いる最小侵襲的外科手術を行うインタラクティブな訓練を人にするために、高度にリアルな、リアルタイムでシミュレートされた手術の状況を生み出すためのシステムを開示している。この訓練システムのための仮想環境は小さな開口部を有するハウジングを含む。手術の道具をシミュレートする道具が開口部に挿入され、ハウジングに対して操作される。運動ガイドおよびセンサアセンブリがハウジングに対する道具の位置をモニタし、ハウジング内の道具の位置および方向性に関するデータを提供する。
【００１０】
リポートされたデータは、患者の体内の形状のコンピュータモデルを形成するために、患者の体内の形状を示す情報のデータベースを利用するコンピュータモデルプロセッサによって補間される。このコンピュータモデルを基準にプロセッサは道具の運動に抗する力のフィードバックの発生を制御する。患者内にあるように器具を表示する二次元画像が、患者の体内の形状のコンピュータモデルに基づき、プロセッサ制御されたビデオ撮像システムによって生成される。次にこの道具のコンピュータ画像は、１回の心臓の拍動および呼吸サイクルにわたってあらわれるように、患者の体内の形状のビデオ画像ループと合成され、ビデオディスプレイにこの合成された画像がディスプレイされる。
【００１１】
リアルタイムの視覚的表示とインタラクティブな触覚力のフィードバックとが組み合わされた要素は、仮想的訓練シミュレーションに実際の手術の状況から生きた患者を除いたすべての要素を提供する。米国特許第６，２６７，５９９号明細書（特許文献２）に記載された発明に係わるシステムは、同時に、かつリアルタイムで数個の器具をシミュレートするようには使用できない。
【００１２】
国際公開第９９／３９３１７号（特許文献３）は、外科的治療シミュレーションシステムにおける器具の運動および回転をシミュレートする、同じインターフェースを通して数個の器具を取り扱うためのインターフェース装置について記述している。このシステムはインターフェース装置に合う特別に製造された擬似の器具を使用しており、この器具は特定のそれぞれの器具の種類を受けるように用意されたキャリッジアセンブリと係合し、かつロックされる。擬似の器具による解決案および挿入の特殊な順序によって、このシステムはユーザにとって非現実的で、かつ複雑なものになっている。その理由は、ユーザがキャリッジアセンブリの構造と、この構造に従った正しい挿入順序とを知らなければならないからである。
【特許文献１】米国特許第６，１０６，３０１号明細書
【特許文献２】米国特許第６，２６７，５９９号明細書
【特許文献３】国際公開第９９／３９３１７号パンフレット
【発明の開示】
【発明が解決しようとする課題】
【００１３】
本発明の最良の実施例に係わる１つの目的は、異なる器具を同時にシミュレートできるようにする、インターベンショナル手術および最も好ましくは血管内手術をシミュレートするためのインターフェース装置を提供することにある。本発明の好ましい実施例の装置はより正確な制御を提供する。
【００１４】
最良の実施例に係わる利点は次のとおりである。
・ユーザが同時に少なくと３つの独立した器具を使って動かすことができること。
・実際の器具を利用出来ること。
・より良好なフィードバックシステムを通して、よりリアルな感覚が得られること。
・ユーザからの特別な相互作用または制御なしで、実際の手術のように器具を挿入することや、引き抜くことができること。
【００１５】
本発明の技術手段は、少なくとも２つ以上の実際の器具を受け入れることができる、インターベンショナル手術をシミュレートするためのシミュレーションシステムにおける装置（１００）であって、前記実際の器具の数に対応する数の可動キャリッジ（１６Ａ〜１６Ｃ）と、トラック（２０）と、相互接続部材（２６）とを備え、前記実際の器具を受け入れる開口部を有する前記相互接続部材（２６）が前記キャリッジ（１６Ａ〜１６Ｃ）を直列に相互接続するように構成されており、各キャリッジ（１６Ａ〜１６Ｃ）に前記実際の器具を受け入れる開口部が設けられており、各キャリッジ（１６Ａ〜１６Ｃ）が更に、前記相互接続部材（２６）を通して挿入される前記実際の器具の種類を検出するための検出機構（４８）と、少なくとも１つの実際の器具を受け入れ、かつロックするための部材と、前記器具からの運動を受けると共にシミュレーション特性に関して前記実際の器具へフィードバックされる力を発生するための部材とを備えることを特徴とする、シミュレーションシステムにおける装置（１００）を特徴とする。
【００１７】
前記相互接続部材（２６）が入れ子式パイプであることを特徴とする。
【００２０】
前記キャリッジ（１６Ａ〜１６Ｃ）が前記トラック（２０）に沿って移動するように配置されていることを特徴とする。
【００２１】
前記キャリッジ（１６Ａ〜１６Ｃ）が該キャリッジを前記トラック（２０）に沿って駆動するためのギヤベルト変速機（１８）に接続されていることを特徴とする。
また、前記キャリッジ（１６）は、各々の壁に、トルクホイール（５２）内に配置されたクランクブロック（７４）が設けられていることを特徴とする。
【００２２】
前記クランクブロック（７４）に嵌合表面が設けられており、この嵌合表面が前記相互接続部材を通して挿入された前記実際の器具ワイヤをグリップするコレット（７０）に押圧されていることを特徴とする。
【００２３】
前記キャリッジ（１６Ａ〜１６Ｃ）に配置されたシャーシ（３２）に接続された懸架プレート（３８）との間の力を力センサ（４０）によって測定することを特徴とする。
【００２４】
前記検出機構（４８）が前記キャリッジ（１６）内の器具の存在を検出するように配置されていることを特徴とする。
【００２５】
前記検出機構（４８）が各実際の器具の種類を検出するように配置されていることを特徴とする。
【００２６】
前記実際の器具が次の特性、すなわち厚み、カラー、構造、材料、識別証および／またはバーコードのうちの少なくとも１つに関して前記種類に分類されることを特徴とする。
【００２７】
前記検出機構（４８）が光センサであることを特徴とする。
【００２８】
第１相互接続部材（２６Ａ）が前記実際の器具を受け入れる装置の開口部（２２）と第１キャリッジ（１６Ａ）との間に配置され、第２相互接続部材（２６Ｂ）が第１キャリッジ（１６Ａ）と第２キャリッジ（１６Ｂ）との間に配置され、第３相互接続部材（２６Ｃ）が第２キャリッジ（１６Ｂ）と第３キャリッジ（１６Ｃ）との間に配置されていることを特徴とする、請求項１記載の装置。
【００２９】
前記実際の器具の長手方向の運動および回転運動を測定するための処理ユニット（１０）を含むことを特徴とする。
【００３０】
前記実際の器具の長手方向および回転方向に力のフィードバックを行う処理ユニット（１０）を備えることを特徴とする。
【００３２】
シミュレートされる前記実際の器具をクランプするためのロッキング部材（４４）を備え、該ロッキング部材（４４）は前記実際の器具にトルクを加えるための部材を含むことを特徴とする。
【００３３】
クランクブロック（７４）が、前記キャリッジの壁に取り付けられているトルクホイール（５２）内に設けられており、該クランクブロック（７４）が該トルクホイール（５２）に対して長手方向に移動し、かつ回転方向に固定されていることを特徴とする。
【００３７】
器具を検出するための前記検出機構が少なくとも１つのＩＲ（赤外線）ダイオード（１０４）と、少なくとも１つのＩＲフォトトランジスタ（１０６）とを備えることを特徴とする。
【００３８】
前記実際の器具の厚み、カラー、構造、材料、の少なくとも１つを検出するための手段を有する識別機構を含むことを特徴とする。
【００３９】
前記装置（１００）が前記キャリッジ（１６Ａ〜１６Ｃ）の運動を測定すると共に速度制御ループ（８６）および位置制御ループ（８８）を有し前記キャリッジ（１６Ａ〜１６Ｃ）の運動を制御するための制御ユニット（３０）に接続されていることを特徴とする。
また、前記キャリッジ（１６Ａ〜１６Ｃ）の運動を制御するための前記制御ユニット（３０）は器具でユーザが経験する力を力センサ（４０）によって測定し、力センサ（４０）からの信号を設定された力の要求値（ＤＦ）に向けて力フィードバック制御ループ（１０２）内でフィードバックすることにより前記キャリッジの運動を制御することを特徴とする。
【００４２】
シミュレートされた実際の器具における抵抗力を発生するための抵抗力発生機構と、器具の運動を測定し、実際の器具に力をフィードバックするための装置内に前記実際の器具の一部を受け入れ、かつ固定するための受入固定機構を備え、該受入固定機構が前記実際の器具をクランプするための部材を含むことを特徴とする。
【００４３】
シミュレーションシステム内における装置（１００）によるインターベンショナル手術をシミュレートする方法において、該装置は、前記器具の数に対応する数の可動キャリッジ（１６Ａ〜１６Ｃ）と、トラック（２０）と、相互接続部材（２６）とを備え、前記方法は、少なくとも２つの実際の器具を前記装置（１００）に挿入するステップと、少なくとも１つの器具を受けかつロックすることにより直列に相互接続された各キャリッジによって前記実際の器具を受けるステップとを備え、各キャリッジ（１６Ａ〜１６Ｃ）は前記実際の器具からの運動を受けると共にシミュレーション特性に関して前記実際の器具へフィードバックされる力を発生するための部材とを更に備え、前記相互接続部材（２６）を通して挿入される各キャリッジにおける検出機構（４８）を用いて各キャリッジ（１６Ａ〜１６Ｂ）により器具の種類を検出することを特徴とする、インターベンショナル手術をシミュレートする方法を特徴とする。
【発明を実施するための最良の形態】
【００４４】
以下、図面を参照し、本発明の最良の実施例に基づき、本発明を非限定的に説明する。
【００４５】
以下、図面を参照し、本発明の最良の実施例およびその変形例について詳細に説明する。その他の可能な実施例の例についても説明する。
【００４６】
図３に示されるような本発明の最良の実施例に係わるインターフェース装置１００は、次のものを含む。
・対応するプリントカードボードＰＣＢに配置された処理ユニット１０。
・通信ユニット１２。
・電源１４。
・少なくとも３つのキャリッジ１６Ａ〜１６Ｃ。各キャリッジ１６は同じ技術的特徴を有する。これらキャリッジ１６Ｃ〜１６Ｃは後述する異なる種類の器具をロックするように配置されている。
・キャリッジ１６Ａ〜１６Ｃを駆動するためのモータおよび変速機１８。
・キャリッジ１６Ａ〜１６Ｃが移動できるトラック２０。この実施例ではこのトラックは共通トラックであるが、他の実施例では、例えば平行な３つのトラックなどとすることができる。
・入力パイプ２４が設けられた開口部２２。
・入れ子式パイプ２６Ａ〜２６Ｃの形態をした相互接続部材２６。図２参照。
・カバー２８。
・ＰＣ内のソフトウェアの形態をした制御ユニット３０。
【００４７】
各キャリッジ１６Ａ〜１６Ｃはホイール３４が設けられたシャーシ３２を含む。別の実施例では、シャーシにはランナ、スライドブッシングなどを設けることができる。このシャーシ３２はトラック２０に沿って駆動するための接続ピンを介し、変速機１８、好ましくはギアベルト変速機に取り付けられている。別の実施例ではチェーン式変速機、ワイヤ変速機または空気圧シリンダ変速機を使用できる。スプリングサスペンションを介し、シャーシ３２には懸架プレート３８が取り付けられている。スプリングのうちの１つは懸架式プレート３８とシャーシ３２との間の力を測定するロードセルの形態をしたセンサである。このセンサはこれまで力センサ４０と称されているものである。懸架プレート３８にはほぼ中央に設けられた壁４２が配置されている。図４および図５参照。
【００４８】
各キャリッジ１６Ａ〜１６Ｃの機能は、器具がキャリッジをいつ通過したかを検出することであり、検出部材４８によって器具の種類を決定し、制御ユニット３０から判断がされる場合には器具をロックすることである。後述するロック機構はロックを行うためのロッキング部材４４によって附勢される。
【００４９】
開口部２２および出口４６には相互接続部材２６のための接続部が配置されている。本発明の最良の実施例では、この相互接続部材は入れ子式パイプ状の形態になっているが、例えばゴムまたは非剛性プラスチックから製造される弾性パイプなどの形態にすることもできる。これら相互接続部材２６は３つの相互作用する入れ子式器具を用いた動作を可能にする。これらキャリッジ１６の間で相互接続部材２６が移動する。図２参照。開口部２２と第１キャリッジ１６Ａの間には、第１相互接続部材２６Ａが配置されており、第１キャリッジ１６Ａと第２キャリッジ１６Ｂの間には第２相互接続部材２６Ｂが配置されており、第２キャリッジ１６Ｂと第３キャリッジ１６Ｃの間には第３相互接続部材２６Ｃが配置されている。
【００５０】
光センサの形態をした検出部材４８は、キャリッジ１６内に器具が存在することを検出する。光センサ４８は更に器具が属すのはどの種類であるかを判断できる。これら器具は、器具の厚みおよび／またはその他の識別サイン、例えば色、構造および／または材料に従って前記種類に分類される。別の実施例では、器具にはバーコードを設けることができ、検出部材にはバーコードリーダーを配置できる。検出部材４８は出口４６に配置され、器具が通過するツールの通路１０８の各側に配置されているＩＲダイオード１０４とＩＲフォトトランジスタ１０６を備える。図６参照。ＩＲダイオード１０４から光チャンネル１１０を通ってＩＲフォトトランジスタ１０６まで光が進む。ＩＲダイオード１０４は電圧の供給および抵抗により制限された電流によってＩＲ光を放出する。この光は光チャンネル１１０を介してＩＲトランジスタ１０６まで導かれる。フォトトランジスタ１０６はどれだけ多くの光が到達するかに応じて電流を多かれ少なかれ透過できる。ツールの通路１０８内に器具がないときには、最大量の光がＩＲフォトトランジスタ１０６に到達し、光チャンネル１１０内に器具が存在するときには、この機器はＩＲフォトトランジスタ１０６までの光の流れをブロックし、よって少ない光しかフォトトランジスタに到達しない。ＩＲフォトトランジスタ１０６に到達する光が多くなればなるほど、ＩＲフォトトランジスタ１０６をより大きな電流が通過し、抵抗の両端の電圧がより大きくなる。Ａ／Ｄトランスジューサはその電圧を測定し、測定検査の結果は制御ユニット３０へ送られる。
【００５１】
ロッキング部材４４は器具をクランプするように配置されており、中央壁４２に取り付けられている。同じロッキング部材４４は器具に対し、回転角方向に力のフィードバックを行うよう、器具でトルクを発生できる。
【００５２】
器具の検出およびロックの後で、キャリッジ１６は器具のユーザの運動に従う。このことは、変速機１８および制御電子回路によって行われ、要求された力が制御ユニット３０から得られるように制御される。力のフィードバックについては更に後述する。
【００５３】
図７は本発明の最良の実施例に係わるロッキング部材４４を示す。ベアリング、例えばボールベアリングまたはローラーベアリングにより、中央壁４２にはトルクホイール５２を有する中央ユニット５０が取り付けられている。トルクホイール５２にはギアリング５４が設けられている。トルクホイール５２を駆動するようにモータハブ５８およびトルクモータギアホイール６０を備えたトルクモータ５６が配置されている。ベアリング、例えばボールベアリング、ローラーベアリング、ニードルベアリングまたはポリマー軸受けを介してトルクホイール５２にはロックホイール６２が取り付けられている。更に、ロックホイール６２を駆動するようにモータハブ６６およびロックモータギアホイール６８を備えたロックモータ６４が配置されている。ロッキング部材４４は、器具をグリップするコレット７０と、コレット７０が配置されたコレット座７２とを更に備える。
【００５４】
トルクホイール５２内に配置されたクランクブロック７４はトルクホイール５２に対して長手方向には移動できるが、回転方向には固定されている。前記クランクブロック７４にはウィングが設けられている。これらウィングはトルクホイール５２内に配置されたガイドトラック内で走行する。クランクブロック７４には嵌合表面が設けられており、この嵌合表面は器具ワイヤをグリップするコレット７０に向かって押圧されている。クランクブロック７４の代わりにその他のチャッキング原理を利用してもよい。
【００５５】
ロッキング部材４４は更に内側のロックホイール６２を備え、このロックホイール６２はベアリング、例えばボールベアリング、ニードルベアリングなどを介して外側のトルクホイール５２に取り付けられている。トルクホイール５２およびロックホイール６２にはそれぞれギアリング５４が設けられている。ロックホイール６２はトルクホイール５２内で回転し、このロックホイールにはネジが設けられている。このネジは、トルクホイール５２内で回転方向に固定されているが長手方向には自由に走行するクランクブロック７４に作用する。ロックホイール６２のバックエッジにはコレット７０が設けられており、中央ユニット５０全体の中心には２つの開口部２２が配置されており、これら開口部を器具が通過できる。
【００５６】
中央壁４２には２つのモータ、すなわちトルクモータ５６とロックモータ６４が固定されている。モータ軸にはモータギアホイール６０、６８が設けられており、これらホイールはトルクモータ５６およびロックモータ６４のギアリング５４に抗して動く。
【００５７】
インターフェース装置の初期シーケンスではキャリッジ１６は器具入口側に向かって密に一列に位置している。ユーザは器具すなわちツールを第１相互接続部材２６を介して入口パイプ２４内に挿入し、第１キャリッジ１６Ａ内に挿入し、中央ユニット５０を通して、次に出口４６を通過させる。出口４６において、例えば光センサ４８の形態をした検出部材は器具が存在すること、およびその種類を検出する。制御ユニット３０は検出した器具の種類から器具をロックすべきか否かを判断する。第１キャリッジ１６Ａが器具をロックしない場合、器具は第１キャリッジ１６Ａを通過し、第２の相互接続部材２６Ｂ内に侵入し、更に第２キャリッジ１６Ｂに向かって移動する。
【００５８】
第１キャリッジ１６Ａが器具をロックする場合、ロッキングシーケンスがスタートする。従って、トルクモータ５６によってトルクホイール５２が固定される。その後、ロックホイール６２がロックモータ６４により回転されるので、クランクブロック７４は器具のまわりをクランプするコレット７０へ向かって押圧される。従って、ロッキング部材４４および懸架プレート３６が器具に固定される。
【００５９】
ロッキングシーケンスの後に力およびトルク制御が続く。力コントローラは力センサ４０からの高周波により、シャーシ３２の位置を制御するので、力センサ４０内には所定の力が維持される。この力は器具へ伝えられる。ユーザは器具内でこの設定された力を感じ、これによって長手方向の力のフィードバックが行われる。トルク制御装置は、回転方向へ力のフィードバックを行うトルクモータ５６によって設定されたトルクを設定する。設定された力および設定されたトルクはシミュレーションから決定される。長手方向および回転方向の器具の位置に関する情報が連続的にシミュレーションユニット９０へ送られる。
【００６０】
キャリッジ１６が初期位置を通過するように、ユーザが器具を引き抜くと、アンロッキング（ロック解除）シーケンスがスタートする。このアンロッキングシーケンスはロッキングシーケンスと逆の順序で実行される。アンロッキングシーケンスの後で器具はキャリッジ１６内を自由に動く。
【００６１】
すべてのキャリッジ１６Ａ〜１６Ｃは同じように作動する。トラック２０に沿った長手方向の一番近くの前のキャリッジの運動にアンロックされたキャリッジが従う。キャリッジの運動をフレキシブルにし、制御誤差を小さくするために、内側のスピード制御ループ８６および外側の位置制御ループ８８が使用される。スピード制御ループ８６の目的は、キャリッジ１６の速度を互いに制御することである。位置制御ループ８８の目的は、前のキャリッジ１６に対するキャリッジ１６の距離を一定に維持することである。
【００６２】
図８のブロック図は制御システムＧ（ｓ）を示す。このシステムＧ（ｓ）は長手方向モータによって駆動されるキャリッジ１６Ａ〜１６Ｃのうちの１つを表す。Ｆ１（ｓ）はキャリッジの速度を設定値、すなわちキャリッジ要求速度ＣＤＶに向けて制御するコントローラである。キャリッジ１６内のプロセッサユニット１０のうちの１つにＦ１が設定されている。Ｆ１はキャリッジ１６の長手方向モータに対するモータの力を示す。
【００６３】
Ｆ２（ｓ）は制御ユニット３０、すなわちＰＣ内に設けられたコントローラである。Ｆ２は位置の誤差、すなわち（要求位置−キャリッジの実際の位置ＣＡＰ）と、前のキャリッジ１６の速度（前のキャリッジの実際の速度ＰＣＡＶ）とをキャリッジ１６に対する設定値に組み合わせる。
【００６４】
Ｆ２は、ＣＤＶ＝Ｃ１＊（ＣＡＰ−ＰＣＡＰ）＋Ｃ２＊ＰＣＡＶに制御する。
【００６５】
ここで、
ＣＤＶ＝キャリッジ要求速度であり、
ＣＡＰ＝キャリッジの実際の位置であり、
ＰＣＡＰ＝前のキャリッジの実際の位置であり、
ＰＣＡＶ＝前のキャリッジの実際の速度であり、
Ｃ１とＣ２とは定数である。
【００６６】
キャリッジ１６が器具すなわちツールをロックすると、制御ユニット３０は要求の力の値ＤＦへ向けて制御する。例えば選択された要求の力の値が０である場合、ユーザが器具において０の力を経験するようにキャリッジ１６が制御される。例えばユーザがシミュレーション内で血管内の狭窄部を通過した場合、ユーザは器具で抵抗力を感じ、次に所望する要求の力の値がその抵抗力にセットされる。これを達成するために力センサ４０および力フィードバック制御ループ１０２は長手方向モータを制御する。長手方向モータはトラック２０に沿ってキャリッジ１６Ａ〜１６Ｃを駆動する。ユーザが器具内で感じる力は、力センサ４０によって測定される。力センサ４０からの信号は制御ループ内で設定された力ＳＦに向かってフィードバックされる。図９にはこの力フィードバック制御ループ１０２が示されている。
【００６７】
使用できる力フィードバックの種類には２つあり、一方は“パッシブな力フィードバック”であり、他方は“アクティブな力フィードバック”である。
【００６８】
制御ユニット３０は設定された力の値ＳＦが０となるようにコントローラに設定する（ＳＦ＝０）。制御ユニットは設定された力ＳＦ、すなわちシミュレーションがユーザに経験させたい抵抗力に応じて、内部の力制御ループ１１２（設定された力ではない！）の増幅度を決定する。斯様にして、システムＧ（ｓ）内の摩擦がループの増幅度から決定される変化の度合いに応じて補償される。
【００６９】
例：
増幅度が大きい場合、ユーザは０の力を経験する。増幅度が小さい場合、ユーザは大きい抵抗力を経験する。このように、摩擦はユーザが経験する抵抗力となり、“パッシブな力のフィードバック”が行われる（図９参照）。
【００７０】
すなわち
Ｋ＝Ｃ１＊（１−Ｃ２＊ＤＦ）
【００７１】
ここで、
Ｋ＝ループ増幅度、Ｆ３（ｓ）であり、
ＤＦ＝要求の力であり、
Ｃ１とＣ２とは定数である。
【００７２】
“アクティブな力フィードバック”を行うには、要求の力ＤＦ／設定された力の値ＳＦを制御しなければならない。この場合、抵抗力を生じさせるのは長手方向モータである（図１０参照）。
【００７３】
ユーザは開口部２２内の入口パイプ２４を通して血管内手術のための器具、例えばカテーテル、バルーン、ワイヤなどを挿入する。この器具は相互接続部材２６を通してキャリッジ１６Ａ〜１６Ｃへ導かれ、これらキャリッジ１６Ａ〜１６Ｃは器具を検出し、器具の運動を測定できるように器具の取っ手を把持し、その運動に対するフィードバックを行う。
【００７４】
関連する制御ユニット３０を有するインターフェース装置はつぎのような機能を有する。
【００７５】
・少なくとも３つの別個の入れ子式器具の動きを測定すること。これら器具は、ある実施例では、ソフトポイントおよびカーブポイントがカットオフされている。測定された動きは、器具のポイントに対して長手方向の運動および回転方向の運動から成る。
・押されたペダル位置および解放されたペダル位置を測定すること。
・造影剤注射器からの流れを測定すること。
・バルーンを膨張させるための圧力ポンプからの圧力を測定すること。
・測定された値をシミュレーションユニット９０へ送ること。
・シミュレーションユニット９０からの、器具に対する力およびトルクを受信すること。
・受信された力のおよびトルクに従って、器具の長手方向および回転方向へ力のフィードバックを行うこと。
・特殊器具からの信号を測定すること。
【００７６】
本願出願人による「インターベンショナルシミュレータ制御システム」（スウェーデン特許出願第０２０３５６７−３号）を発明の名称とする特許出願には、システムおよび装置のための制御プログラムが記載されており、本明細書ではこの出願の内容を参考例として援用する。
【００７７】
以上、最良の実施例およびその変形例により本発明について説明した。しかしながら、本発明はこれまで説明した実施例のみに限定されるものではなく、特許請求の範囲内で変形およびその他の変更も可能である。また、１つの同時インターベンショナル治療をシミュレートするためにいくつかの装置を１つまたは数個のパソコンに接続することも可能である。
【図面の簡単な説明】
【００７８】
【図１】使用中の、本発明に係わる装置の全体の概観を示す。
【図２】本装置の断面図である。
【図３】キャリッジを示す略図である。
【図４】キャリッジの断面図である。
【図５】キャリッジの側面図である。
【図６】光センサの正面図である。
【図７】ロッキング部材の側面図である。
【図８】制御システムのブロック図である。
【図９】パッシブな力フィードバックループのブロック図である。
【図１０】アクティブな力フィードバックループのブロック図である。
【符号の説明】
【００７９】
１０…プロセッサユニット、１２…通信ユニット、１４…電源、１６…キャリッジ、１６Ａ…第１キャリッジ、１６Ｂ…第２キャリッジ、１６Ｃ…第３キャリッジ、１８…変速機、２０…トラック、２２…開口部、２４…入口パイプ、２６…相互接続部材、２６Ａ…第１相互接続部材、２６Ｂ…第２相互接続部材、２６Ｃ…第３相互接続部材、２８…カバー、３０…制御ユニット、３２…シャーシ、３４…ホイール、３８…懸架プレート、４０…力センサ、４２…中央壁、４４…ロッキング部材、４６…出口、４８…検出部材、５０…中央ユニット、５２…トルクホイール、５４…ギアリング、５６…トルクモータ、５８…トルクモータハブ、６０…トルクモータギアホイール、６２…ロックホイール、６４…ロックモータ、６６…ロックモータハブ、６８…ロックモータギアホイール、７０…コレット、７２…コレットシート、７４…クランクブロック、８６…速度制御ループ、８８…位置制御ループ、９０…シミュレーションユニット、１００…装置、１０２…力フィードバック制御ループ、１０４…ＩＲ（赤外線）ダイオード、１０６…ＩＲフォトトランジスタ、１０８…ツールの通路、１１０…光チャンネル、１１２…内部力制御ループ。
【図１】
0004551769.tif 000002
【図２】
0004551769.tif 000003
【図３】
0004551769.tif 000004
【図４】
0004551769.tif 000005
【図５】
0004551769.tif 000006
【図６】
0004551769.tif 000007
【図７】
0004551769.tif 000008
【図８】
0004551769.tif 000009
【図９】
0004551769.tif 000010
【図１０】
0004551769.tif 000011